(57)【要約】【課題】例えば、初めての利用者の場合、又は初めて利用する機能の場合であって当該利用者に係る選択履歴が作成されていない場合であっても、適宜一つの項目を選択して表示できる表示システム、表示装置、画像形成装置、表示方法及びコンピュータプログラムを提供する。【解決手段】利用者の識別データ毎に項目の被選択履歴を記憶しておき、ある利用者から一つの項目を選択して表示する指示を受け付けた場合、当該利用者だけでなく、全利用者に係る被選択履歴に基づき、一つの項目を選択して表示する。【選択図】図４
2011257936.tif 000002
【特許請求の範囲】
【請求項１】
複数の項目及び従属項目を含むメニュー画面が表示される表示部と、利用者の識別データを取得する取得手段と、利用者から何れかの項目又は従属項目の選択を受け付ける選択受付手段とを備える表示装置を複数含む表示システムにおいて、
各表示装置は、
利用者の識別データ毎に、項目及び該項目の従属項目の被選択履歴を記憶する記憶手段と、
該記憶手段が記憶している被選択履歴に基づき、前記選択受付手段が選択を受け付けた被選択項目の被選択回数が所定の閾値以上であるか否かの判定を行う判定手段と、
該判定手段の判定結果に基づき、前記被選択項目の従属項目を表示する表示手段と
を備えていることを特徴とする表示システム。
【請求項２】
各表示装置は、
前記判定手段によって前記被選択項目の被選択回数が閾値未満であると判定された場合、
前記表示手段は、前記被選択履歴に基づき、前記被選択項目の従属項目を被選択回数の多い順に表示するように構成されていることを特徴とする請求項１に記載の表示システム。
【請求項３】
一の表示装置の被選択履歴を、他の表示装置が共有できるように構成されていることを特徴とする請求項１又は２に記載の表示システム。
【請求項４】
複数の項目及び従属項目を含むメニュー画面が表示される表示部と、利用者の識別データを取得する取得手段と、利用者から何れかの項目又は従属項目の選択を受け付ける選択受付手段とを備える表示装置において、
利用者の識別データ毎に項目の被選択履歴を記憶する記憶手段と、
一つの項目を選択して表示する指示を受け付ける指示受付手段と、
該指示受付手段が該指示を受け付けた場合、全利用者に係る被選択履歴に基づき、一つの項目を選択して表示する表示手段と
を備えていることを特徴とする表示装置。
【請求項５】
前記記憶手段は、各項目の従属項目の被選択履歴を利用者毎に記憶しており、
前記指示受付手段が前記指示を受け付けた場合、前記表示手段は、被選択回数が最も多い項目と共に、該項目の従属項目を被選択回数の多い順に表示し、
従属項目を表示し直す再表示指示を受け付ける表示指示受付手段を備え、
該表示指示受付手段が該再表示指示を受け付けた場合、前記表示手段は、受け付けた時点から所定期間以前までの被選択履歴に基づき、被選択回数の多い順に前記従属項目を表示するように構成されていることを特徴とする請求項４に記載の表示装置。
【請求項６】
前記被選択履歴に基づき、前記選択受付手段が選択を受け付けた被選択項目の被選択回数が所定の閾値以上であるか否かの判定を行う判定手段を備え、
前記被選択項目の被選択回数が閾値未満であると判定された場合、前記表示手段は、前記被選択履歴に基づき、前記被選択項目の従属項目を被選択回数の多い順に表示するように構成されていることを特徴とする請求項５に記載の表示装置。
【請求項７】
前記判定手段によって前記被選択項目の被選択回数が閾値以上であると判定された場合、
前記表示手段による従属項目の被選択回数の多い順表示を行わないように構成されていることを特徴とする請求項６に記載の表示装置。
【請求項８】
前記判定手段によって前記被選択項目の被選択回数が閾値以上であると判定された場合であっても、前記指示受付手段が前記指示を受け付けた場合は、前記表示手段が前記被選択項目の従属項目を被選択回数の多い順に表示するように構成されていることを特徴とする請求項７に記載の表示装置。
【請求項９】
外部から被選択履歴に係るデータを取得する履歴取得手段を備え、
前記判定手段は前記被選択項目の被選択回数がゼロであるか否かを判定し、
前記被選択項目の被選択回数がゼロであると判定された場合、前記表示手段は、前記履歴取得手段が取得したデータに基づき、前記被選択項目の従属項目を被選択回数の多い順に表示するように構成されていることを特徴とする請求項６から８の何れか一つに記載の表示装置。
【請求項１０】
前記選択受付手段が項目又は従属項目の選択を受け付けた場合、以前に該項目又は従属項目が選択されたときまでの期間が、所定の期間以上であるか否かを、前記被選択履歴に基づいて判定する期間判定手段を備え、
所定の期間以上であると判定された場合は、前記表示手段が被選択項目の従属項目を被選択回数の多い順に表示するように構成されていることを特徴とする請求項６から９の何れか一つに記載の表示装置。
【請求項１１】
前記表示手段による表示、又は判定手段による判定は、所定の期間範囲における前記被選択履歴に基づいて行われ、
前記期間範囲は変更可能に構成されていることを特徴とする請求項６から１０の何れか一つに記載の表示装置。
【請求項１２】
前記被選択履歴に基づき、その時点から所定期間以前までにおける被選択回数が一番多い項目又は従属項目を表す文字又は図形を表示する付加情報表示手段を備えていることを特徴とする請求項５から１１の何れか一つに記載の表示装置。
【請求項１３】
請求項４から請求項１２の何れか一つに記載の表示装置を備え、
該表示装置の選択受付手段が受け付けた選択に係る項目に基づき、シート状の記録媒体に画像を形成するように構成してあることを特徴とする画像形成装置。
【請求項１４】
複数の項目及び従属項目を含むメニュー画面が表示される表示部と、利用者の識別データを取得する取得手段と、利用者から何れかの項目又は従属項目の選択を受け付ける選択受付手段と、利用者の識別データ毎に項目及び該項目の従属項目の被選択履歴を記憶する記憶手段とを備える表示装置で、項目又は従属項目を表示する表示方法において、
一つの項目を選択して表示する指示を受け付ける指示受付ステップと、
該指示受付ステップが該指示を受け付けた場合、全利用者に係る被選択履歴に基づき、一つの項目を選択して表示する表示ステップと
を含むことを特徴とする表示方法。
【請求項１５】
前記指示受付ステップが前記指示を受け付けた場合、被選択回数が最も多い項目と共に、該項目の従属項目を被選択回数の多い順に表示するステップと、
従属項目を表示し直す再表示指示を受け付ける表示指示受付ステップと、
該表示指示受付ステップが該再表示指示を受け付けた場合、受け付けた時点から所定期間以前までの被選択履歴に基づき、被選択回数の多い順に前記従属項目を表示するステップとを含むことを特徴とする請求項１４に記載の表示方法。
【請求項１６】
前記被選択履歴に基づき、前記選択受付手段が選択を受け付けた被選択項目の被選択回数が所定の閾値以上であるか否かの判定を行う判定ステップと、
前記被選択項目の被選択回数が閾値未満であると判定された場合、前記被選択履歴に基づき、前記被選択項目の従属項目を被選択回数の多い順に表示するステップとを含むことを特徴とする請求項１４又は１５に記載の表示方法。
【請求項１７】
複数の項目及び従属項目を含むメニュー画面が表示される表示部と、利用者の識別データを取得する取得手段と、利用者から何れかの項目又は従属項目の選択を受け付ける選択受付手段と、利用者の識別データ毎に項目及び該項目の従属項目の被選択履歴を記憶する記憶手段とを備える表示装置を構成するコンピュータに、項目又は従属項目を表示させるコンピュータプログラムにおいて、
コンピュータに、一つの項目を選択して表示する指示を受付させる指示受付ステップと、
コンピュータに、前記指示受付ステップが前記指示を受け付けた場合、全利用者に係る被選択履歴に基づき、一つの項目を選択して表示させる表示ステップと
を実行させることを特徴とするコンピュータプログラム。
【請求項１８】
コンピュータに、前記指示受付ステップが前記指示を受け付けた場合、被選択回数が最も多い項目と共に、該項目の従属項目を被選択回数の多い順に表示させるステップと、
コンピュータに、従属項目を表示し直す再表示指示を受付させる表示指示受付ステップと、
コンピュータに、前記表示指示受付ステップが前記再表示指示を受け付けた場合、受け付けた時点から所定期間以前までの被選択履歴に基づき、被選択回数の多い順に前記従属項目を表示させるステップと
を実行させることを特徴とする請求項１７に記載のコンピュータプログラム。
【請求項１９】
コンピュータに、前記被選択履歴に基づき、前記選択受付手段が選択を受け付けた被選択項目の被選択回数が所定の閾値以上であるか否かの判定を行わせる判定ステップと、
コンピュータに、前記被選択項目の被選択回数が閾値未満であると判定された場合、前記被選択履歴に基づき、前記被選択項目の従属項目を被選択回数の多い順に表示させるステップと
を実行させることを特徴とする請求項１７又は１８に記載のコンピュータプログラム。
【発明の詳細な説明】
【技術分野】
【０００１】
本発明は、複数の項目及び従属項目を含むメニュー画面を表示し、利用者から何れかの項目又は従属項目の選択を受け付ける表示装置、表示システム、画像形成装置、表示方法及びコンピュータプログラムに関する。
【背景技術】
【０００２】
近年の技術の発展は、各種電気機器における多機能化と共に機能の充実化を実現してきた。このような多機能化に伴い、利用者が当該電気機器に一つの機能を実行させる場合は、先ず、該電気機器の数多い機能を認識し、その中から一つを選択することになり、機能選択における利用者の負担を増加させる上に、選択操作ミスの可能性を拡大させる結果となった。
【０００３】
これに対し、利用者が一度選択した機能の設定、又は、選択頻度の高い機能・設定に関して、当該利用者の操作履歴を作成し、該操作履歴を用い、利用者の操作手順を減らす技術が知られている。
【０００４】
例えば、特許文献１では、利用者の使用頻度に応じて適切な操作画面を表示すると共に、使用頻度の高い機能だけでなく自機で使用可能な機能を表示して利用者が選択できるようにした画像形成装置が開示されている。
【先行技術文献】
【特許文献】
【０００５】
【特許文献１】特開２０１０−４１２３８号公報
【発明の概要】
【発明が解決しようとする課題】
【０００６】
しかしながら、上述したように操作履歴を用いて利用者の操作手順を減らす従来の技術は、該利用者が当該装置を初めて利用する場合には対応できないという問題がある。すなわち、従来の技術では利用者が装置を利用することにより、該利用者の機能・設定の選択履歴が作成され、その後の当該装置の利用の際に、該選択履歴に基づき、当該利用者の操作手順を減らす構成であるので、初めての利用者の場合、又は初めて利用する機能の場合は選択履歴が作成されておらず、操作手順を減らすことが出来ない。しかしながら、特許文献１の画像形成装置では、このような問題を解決できない。
【０００７】
本発明は、斯かる事情に鑑みてされたものであり、その目的とするところは、利用者の識別データ毎に項目の被選択履歴を記憶しておき、ある利用者から一つの項目を選択して表示する指示を受け付けた場合、当該利用者だけでなく、全利用者に係る被選択履歴に基づき、一つの項目を選択して表示することにより、例えば、初めての利用者の場合、又は初めて選択する項目の場合であって当該利用者に係る選択履歴が作成されていない場合であっても、適宜一つの項目を選択して表示できる表示システム、表示装置、画像形成装置、表示方法及びコンピュータプログラムを提供することにある。
【課題を解決するための手段】
【０００８】
本発明に係る表示システムは、複数の項目及び従属項目を含むメニュー画面が表示される表示部と、利用者の識別データを取得する取得手段と、利用者から何れかの項目又は従属項目の選択を受け付ける選択受付手段とを備える表示装置を複数含む表示システムにおいて、各表示装置は、利用者の識別データ毎に、項目及び該項目の従属項目の被選択履歴を記憶する記憶手段と、該記憶手段が記憶している被選択履歴に基づき、前記選択受付手段が選択を受け付けた被選択項目の被選択回数が所定の閾値以上であるか否かの判定を行う判定手段と、該判定手段の判定結果に基づき、前記被選択項目の従属項目を表示する表示手段とを備えていることを特徴とする。
【０００９】
本発明にあっては、前記判定手段が、前記記憶手段が記憶している記憶被選択履歴に基づき、前記選択受付手段が選択を受け付けた被選択項目の被選択回数が所定の閾値以上であるか否かの判定を行う。前記表示手段は前記判定手段の判定結果に基づき、前記被選択項目の従属項目を表示する。
【００１０】
本発明に係る表示システムは、各表示装置は、前記判定手段によって前記被選択項目の被選択回数が閾値未満であると判定された場合、前記表示手段は、前記被選択履歴に基づき、前記被選択項目の従属項目を被選択回数の多い順に表示するように構成されていることを特徴とする。
【００１１】
本発明にあっては、前記判定手段によって前記被選択項目の被選択回数が閾値未満であると判定された場合、前記記憶手段が記憶している記憶被選択履歴に基づき、前記表示手段が前記被選択項目の従属項目を被選択回数の多い順に表示する。
【００１２】
本発明に係る表示システムは、一の表示装置の被選択履歴を、他の表示装置が共有できるように構成されていることを特徴とする。
【００１３】
本発明にあっては、サーバを用い、該サーバに前記被選択履歴を記憶することにより、又はインターネット、ＬＡＮ等を介して一の表示装置の被選択履歴を、他の表示装置が読み出し出きるように構成する。
【００１４】
本発明に係る表示装置は、複数の項目及び従属項目を含むメニュー画面が表示される表示部と、利用者の識別データを取得する取得手段と、利用者から何れかの項目又は従属項目の選択を受け付ける選択受付手段とを備える表示装置において、利用者の識別データ毎に項目の被選択履歴を記憶する記憶手段と、一つの項目を選択して表示する指示を受け付ける指示受付手段と、該指示受付手段が該指示を受け付けた場合、全利用者に係る被選択履歴に基づき、一つの項目を選択して表示する表示手段とを備えていることを特徴とする。
【００１５】
本発明にあっては、前記指示受付手段が、一つの項目を選択して表示する指示を受け付けた場合、前記記憶手段に記憶されている全利用者に係る被選択履歴に基づき、前記表示手段が一つの項目を選択して前記表示部に表示する。
【００１６】
本発明に係る表示装置は、前記記憶手段は、各項目の従属項目の被選択履歴を利用者毎に記憶しており、前記指示受付手段が前記指示を受け付けた場合、前記表示手段は、被選択回数が最も多い項目と共に、該項目の従属項目を被選択回数の多い順に表示し、従属項目を表示し直す再表示指示を受け付ける表示指示受付手段を備え、該表示指示受付手段が該再表示指示を受け付けた場合、前記表示手段は、受け付けた時点から所定期間以前までの被選択履歴に基づき、被選択回数の多い順に前記従属項目を表示するように構成されていることを特徴とする。
【００１７】
本発明にあっては、前記指示受付手段が、一つの項目を選択して表示する指示を受け付けた場合、前記表示手段は、前記記憶手段に記憶されている全利用者に係る被選択履歴に基づき、被選択回数が最も多い項目と共に、該項目の従属項目を被選択回数の多い順に表示する。また、前記表示指示受付手段が前記再表示指示を受け付けた場合、前記表示手段は、例えば、１ヵ月以前までの被選択履歴に基づき、被選択回数の多い順に前記従属項目を表示し直す。
【００１８】
本発明に係る表示装置は、前記被選択履歴に基づき、前記選択受付手段が選択を受け付けた被選択項目の被選択回数が所定の閾値以上であるか否かの判定を行う判定手段を備え、前記被選択項目の被選択回数が閾値未満であると判定された場合、前記表示手段は、前記被選択履歴に基づき、前記被選択項目の従属項目を被選択回数の多い順に表示するように構成されていることを特徴とする。  
【００１９】
本発明にあっては、前記判定手段が、前記被選択履歴に基づき、前記被選択項目の被選択回数が閾値未満であると判定した場合、前記表示手段が、前記被選択履歴に基づき、前記被選択項目の従属項目を被選択回数の多い順に表示する。
【００２０】
本発明に係る表示装置は、前記判定手段によって前記被選択項目の被選択回数が閾値以上であると判定された場合、前記表示手段による従属項目の被選択回数の多い順表示を行わないように構成されていることを特徴とする。
【００２１】
本発明にあっては、前記判定手段によって前記被選択項目の被選択回数が閾値以上であると判定された場合は、利用者が使い慣れている項目の選択であるとみなし、前記表示手段による、前記被選択項目の従属項目の被選択回数が多い順に表示する処理は行われない。
【００２２】
本発明に係る表示装置は、前記判定手段によって前記被選択項目の被選択回数が閾値以上であると判定された場合であっても、前記指示受付手段が前記指示を受け付けた場合は、前記表示手段が前記被選択項目の従属項目を被選択回数の多い順に表示するように構成されていることを特徴とする。
【００２３】
本発明にあっては、前記判定手段によって前記被選択項目の被選択回数が閾値以上であると判定された場合であっても、前記指示受付手段が前記指示を受け付けた場合は、優先的に、前記表示手段が前記被選択項目の従属項目を被選択回数の多い順に表示する。
【００２４】
本発明に係る表示装置は、外部から被選択履歴に係るデータを取得する履歴取得手段を備え、前記判定手段は前記被選択項目の被選択回数がゼロであるか否かを判定し、前記被選択項目の被選択回数がゼロであると判定された場合、前記表示手段は、前記履歴取得手段が取得したデータに基づき、前記被選択項目の従属項目を被選択回数の多い順に表示するように構成されていることを特徴とする。
【００２５】
本発明にあっては、前記判定手段が、前記被選択履歴に基づき、前記被選択項目の被選択回数がゼロであるか否かを判定し、前記被選択項目の被選択回数がゼロであると判定した場合、前記表示手段は、前記履歴取得手段が取得したデータに基づき、前記被選択項目の従属項目を被選択回数の多い順に表示する。
【００２６】
本発明に係る表示装置は、前記選択受付手段が項目又は従属項目の選択を受け付けた場合、以前に該項目又は従属項目が選択されたときまでの期間が、所定の期間以上であるか否かを、前記被選択履歴に基づいて判定する期間判定手段を備え、所定の期間以上であると判定された場合は、前記表示手段が被選択項目の従属項目を被選択回数の多い順に表示するように構成されていることを特徴とする。
【００２７】
本発明にあっては、前記選択受付手段が項目又は従属項目の選択を受け付けた場合、前記期間判定手段が、以前に該項目又は従属項目が選択されたときまでの期間が所定の期間以上であるか否かを判定する。前記期間判定手段による判定の結果、所定の期間以上である場合は、当該利用者が長期間前記項目又は従属項目を操作していないことから操作方法を忘れている可能性があるとみなし、前記表示手段が当該被選択項目の従属項目を被選択回数の多い順に表示する。
【００２８】
本発明に係る表示装置は、前記表示手段による表示、又は判定手段による判定は、所定の期間範囲における前記被選択履歴に基づいて行われ、前記期間範囲は変更可能に構成されていることを特徴とする。
【００２９】
本発明にあっては、前記期間範囲は変更可能に構成されており、利用者が必要に応じて前記期間範囲を変更することが出来る。
【００３０】
本発明に係る表示装置は、前記被選択履歴に基づき、その時点から所定期間以前までにおける被選択回数が一番多い項目又は従属項目を表す文字又は図形を表示する付加情報表示手段を備えていることを特徴とする。
【００３１】
本発明にあっては、例えば、前記表示手段によって項目又は従属項目が表示された場合、付加情報表示手段が、前記被選択履歴に基づき、その時点から所定期間以前までにおける被選択回数が一番多い項目又は従属項目に所定の文字又は図形を付し、その旨を表す。
【００３２】
本発明に係る画像形成装置は、前述の発明の何れか一つに記載の表示装置を備え、該表示装置の選択受付手段が受け付けた選択に係る項目に基づき、シート状の記録媒体に画像を形成するように構成してあることを特徴とする。
【００３３】
本発明にあっては、前記表示装置の選択受付手段が受け付けた選択に係る項目に基づき、シート状の記録媒体に所定の画像を形成する。
【００３４】
本発明に係る表示方法は、複数の項目及び従属項目を含むメニュー画面が表示される表示部と、利用者の識別データを取得する取得手段と、利用者から何れかの項目又は従属項目の選択を受け付ける選択受付手段と、利用者の識別データ毎に項目及び該項目の従属項目の被選択履歴を記憶する記憶手段とを備える表示装置で、項目又は従属項目を表示する表示方法において、一つの項目を選択して表示する指示を受け付ける指示受付ステップと、該指示受付ステップが該指示を受け付けた場合、全利用者に係る被選択履歴に基づき、一つの項目を選択して表示する表示ステップとを含むことを特徴とする。
【００３５】
本発明に係るコンピュータプログラムは、複数の項目及び従属項目を含むメニュー画面が表示される表示部と、利用者の識別データを取得する取得手段と、利用者から何れかの項目又は従属項目の選択を受け付ける選択受付手段と、利用者の識別データ毎に項目及び該項目の従属項目の被選択履歴を記憶する記憶手段とを備える表示装置を構成するコンピュータに、項目又は従属項目を表示させるコンピュータプログラムにおいて、コンピュータに、一つの項目を選択して表示する指示を受付させる指示受付ステップと、コンピュータに、前記指示受付ステップが前記指示を受け付けた場合、全利用者に係る被選択履歴に基づき、一つの項目を選択して表示させる表示ステップとを実行させることを特徴とする。
【００３６】
本発明にあっては、一つの項目を選択して表示する指示が受け付けられた場合、前記記憶手段に記憶されている全利用者に係る被選択履歴に基づき、一つの項目が選択されて前記表示部に表示される。
【００３７】
本発明に係る表示方法は、前記指示受付ステップが前記指示を受け付けた場合、被選択回数が最も多い項目と共に、該項目の従属項目を被選択回数の多い順に表示するステップと、従属項目を表示し直す再表示指示を受け付ける表示指示受付ステップと、該表示指示受付ステップが該再表示指示を受け付けた場合、受け付けた時点から所定期間以前までの被選択履歴に基づき、被選択回数の多い順に前記従属項目を表示するステップとを含むことを特徴とする。
【００３８】
本発明に係るコンピュータプログラムは、コンピュータに、前記指示受付ステップが前記指示を受け付けた場合、被選択回数が最も多い項目と共に、該項目の従属項目を被選択回数の多い順に表示させるステップと、コンピュータに、従属項目を表示し直す再表示指示を受付させる表示指示受付ステップと、コンピュータに、前記表示指示受付ステップが前記再表示指示を受け付けた場合、受け付けた時点から所定期間以前までの被選択履歴に基づき、被選択回数の多い順に前記従属項目を表示させるステップとを実行させることを特徴とする。
【００３９】
本発明にあっては、一つの項目を選択して表示する指示が受け付けられた場合、前記記憶手段に記憶されている全利用者に係る被選択履歴に基づき、被選択回数が最も多い項目と共に、該項目の従属項目を被選択回数の多い順に表示される。また、前記再表示指示が受け付けられた場合、例えば、１ヵ月以前までの被選択履歴に基づき、被選択回数の多い順に前記従属項目が新たに表示される。
【００４０】
本発明に係る表示方法は、前記被選択履歴に基づき、前記選択受付手段が選択を受け付けた被選択項目の被選択回数が所定の閾値以上であるか否かの判定を行う判定ステップと、前記被選択項目の被選択回数が閾値未満であると判定された場合、前記被選択履歴に基づき、前記被選択項目の従属項目を被選択回数の多い順に表示するステップとを含むことを特徴とする。
【００４１】
本発明に係るコンピュータプログラムは、コンピュータに、前記被選択履歴に基づき、前記選択受付手段が選択を受け付けた被選択項目の被選択回数が所定の閾値以上であるか否かの判定を行わせる判定ステップと、コンピュータに、前記被選択項目の被選択回数が閾値未満であると判定された場合、前記被選択履歴に基づき、前記被選択項目の従属項目を被選択回数の多い順に表示させるステップとを実行させることを特徴とする。
【００４２】
本発明にあっては、前記被選択履歴に基づき、前記被選択項目の被選択回数が閾値未満であると判定された場合、前記被選択履歴に基づき、前記被選択項目の従属項目が被選択回数の多い順に表示される。
【発明の効果】
【００４３】
本発明によれば、利用者の識別データ毎に項目の被選択履歴を記憶しておき、ある利用者から一つの項目を選択して表示する指示を受け付けた場合、当該利用者だけでなく、全利用者に係る被選択履歴に基づき、一つの項目を選択して表示するので、例えば、初めての利用者の場合、又は初めて選択する項目の場合であって当該利用者に係る選択履歴が作成されていない場合であっても、全利用者に係る被選択履歴に基づき、適宜一つの項目を選択して表示できる。
【図面の簡単な説明】
【００４４】
【図１】本発明の実施の形態１に係る表示システムの構成例を示す模式図である。
【図２】本発明の実施の形態１の複合機の要部構成を示す機能ブロック図である。
【図３】本発明の実施の形態１の記憶部に記憶されている被選択履歴を概念的に示す概念図である。
【図４】本発明の実施の形態１の複合機の制御部の要部構成を示す機能ブロック図である。
【図５】本発明の実施の形態１に係る表示装置、画像形成装置並びに表示システムにおける処理を説明するフローチャートである。
【図６】本発明の実施の形態１に係る表示装置、画像形成装置並びに表示システムにおける処理を説明するフローチャートである。
【図７】本発明の実施の形態１に係る表示装置、画像形成装置並びに表示システムにおける処理を説明するフローチャートである。
【図８】実施の形態１の基本のメニュー画面の一例を示す例示図である。
【図９】実施の形態１において、選択指示受付部が一つの項目を選択して表示する指示を受け付けたと判定した場合の表示制御部によるメニュー画面の表示の一例を示す例示図である。
【図１０】実施の形態１において、表示制御部によって被選択項目の従属項目が通常表示されたメニュー画面の一例を示す例示図である。
【図１１】実施の形態１において、被選択項目の従属項目が通常表示されたメニュー画面から「提案」ソフトキーが操作された場合に表示されるメニュー画面の一例を示す例示図である。
【図１２】図１０に例示したメニュー画面から、利用者が「提案」ソフトキー以外に、何れかのソフトキーを操作した場合に通常表示されたメニュー画面の一例を示す例示図である。
【図１３】図１１に例示されたメニュー画面から、利用者が所定のソフトキーを操作した場合に表示される画面の一例を示す例示図である。
【図１４】本発明の実施の形態２の複合機の制御部の要部構成を示す機能ブロック図である。
【図１５】本発明の実施の形態３の複合機の要部構成を示す機能ブロック図である。
【発明を実施するための形態】
【００４５】
以下に、本発明に係る表示装置及び画像形成装置が複合機である場合であって、複数の複合機及びパーソナルコンピュータ（以下、パソコンと言う。）が本発明に係る表示システムを構成している場合を例として、本発明に係る表示装置、画像形成装置及び表示システムについて図面に基づいて詳述する。
【００４６】
（実施の形態１）
図１は本発明の実施の形態１に係る表示システムの構成例を示す模式図である。
実施の形態１に係る表示システムは、複数のパソコンＰＣ１、ＰＣ２、ＰＣ３と、複数の複合機１、１００、２００とを含み、これらはインターネット、ＬＡＮ等のネットワークＮを介して接続している。
【００４７】
実施の形態１に係る表示システムでは、パソコンＰＣ１、ＰＣ２、ＰＣ３には各複合機１、１００、２００に対応するプリントドライバが格納されており、パソコンＰＣ１、ＰＣ２、ＰＣ３を用いて印刷データを作成した利用者は、前記プリントドライバを用いて印刷の設定を行い、前記印刷データ及び該設定に係るデータ（以下、設定データ）は、前記プリントドライバを介して対象の複合機に送信される。斯かる際、印刷データを作成した利用者を識別する識別データも共に送信される。前記対象の複合機は、前記印刷データ及び設定データを受信した場合、前記設定に基づき、前記印刷データに基づく画像をシート状の記録媒体に印刷する。斯かる際、対象の複合機は、前記利用者の識別データと、前記設定データとを関連付けて記憶するように構成されている。
【００４８】
また、実施の形態１に係る表示システムでは、例えば、利用者が複合機１、１００、２００を操作して設定を行い、該設定に基づく所定のジョブ（例えば、コピー、印刷等）の指示を行った場合、複合機１、１００、２００は該設定に基づいてジョブを実行すると共に、該ジョブに係る利用者を識別する識別データと、該ジョブに係る設定とを関連付けて記憶するように構成されている。
【００４９】
夫々のパソコンＰＣ１、ＰＣ２、ＰＣ３は、ＲＯＭに予め格納された制御プログラムを読込んで実行するＣＰＵと、プログラム実行中に発生するデータを一時的に記憶するＲＡＭと、印刷データ等を複合機１、１００、２００に送信する通信Ｉ／Ｆと、自機の識別データ、利用者の識別データ等を記憶する記憶部と、表示部とを備えている。
【００５０】
以下、複合機１、１００、２００の構成について説明する。複合機１、１００、２００は略同様の構成であるので、複合機１の構成を説明し、複合機１００、２００の構成の説明を省略する。
【００５１】
図２は本発明の実施の形態１の複合機１の要部構成を示す機能ブロック図である。実施の形態１の複合機１は、画像入力装置３と、画像出力装置５と、画像処理装置４と、通信装置６と、画像表示部８（表示部）と、記憶部９（記憶手段）と、操作パネル１０とを備えており、これらのハードウェアはバスＢによって制御部２に接続されている。
【００５２】
画像入力装置３は、処理すべき原稿の画像データの光学的読み取りを行う。また、画像入力装置３は、読み取り用の原稿に光を照射する光源、例えばＣＣＤ（Charge Coupled Device）のようなイメージセンサ等を有する。画像入力装置３では、所定の読取り位置にセットされた原稿からの反射光像を当該イメージセンサに結像させ、ＲＧＢ（R : Red, G : Green, B : Blue）のアナログデータを出力する。
【００５３】
画像出力装置５は、画像処理装置４から出力される画像データに基づく画像を記録用紙、ＯＨＰフィルム等のシート状の記録媒体に印刷する。画像出力装置５は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像をシート上に転写する転写器等を備えており、例えば、電子写真方式にて画像をシート上に形成する。
【００５４】
通信装置６（履歴取得手段）は、所定のデータを外部へ送信するネットワークカード、モデム等を備えている。例えば、複合機１は通信装置６を介して、パソコンＰＣ１、ＰＣ２、ＰＣ３から前記印刷データ、設定データ及び利用者の識別データを受信する。また、複合機１は実行したジョブに係る利用者の識別データと、該ジョブに係る設定（設定データ）とを、通信装置６を介して複合機１００、２００に送信し、また複合機１００、２００からこれら複合機が実行したジョブに係る利用者の識別データと、該ジョブに係る設定とを取得する。
【００５５】
記憶部９は、例えば、ハードディスク等の不揮発性の半導体メモリであり、画像入力装置３を介して取得した原稿の画像データ、後述するメニュー画面に表示する各従属項目に対する簡単な説明、詳細説明等を記憶しており、また利用者を識別する識別データ（例えば、ＩＤ番号、名前等）を利用者毎に予め記憶している。
【００５６】
また、記憶部９は利用者が操作パネル１０のハードキー又はタッチパネル８１のソフトキーを操作して設定を行い、該設定に基づく所定のジョブの指示を行った場合、該ジョブに係る利用者の識別データと、該ジョブに係る設定（設定データ）とを関連付けた被選択履歴（以下、記憶被選択履歴と言う。）を記憶している。詳しくは、前記設定において選択された、キー（項目又は従属項目）の詳細が記憶されている。更に、前記記憶被選択履歴には、パソコンＰＣ１、ＰＣ２、ＰＣ３から印刷データと共に受信する設定データ（選択された項目又は従属項目）と、利用者の識別データとが関連付けて記憶されている。更に、記憶部９は、通信装置６を介して取得する、複合機１００、２００が記憶している利用者の識別データと、設定データとを関連付けた被選択履歴（以下、取得被選択履歴と言う。）を記憶する。
【００５７】
図３は本発明の実施の形態１の記憶部９に記憶されている被選択履歴を概念的に示す概念図である。各利用者のＩＤ（識別データ）毎に、被選択項目及び日付が関連付けて記憶されている。すなわち、利用者毎に、当該利用者によって選択された被選択項目及び被選択従属項目、並びに該選択が行われた日付が関連付けて記憶されている。例えば、被選択項目２は、被選択項目１の従属項目に該当し、被選択項目３は被選択項目２の従属項目に該当する。記憶部９は、例えば、その時点から一年間の被選択履歴を記憶しており、斯かる期間は利用者によって変更できるように構成されている。
【００５８】
また、操作パネル１０（取得手段）は、複合機１における「ファックス」、「複写」、「印刷」、「メール」等の機能を切り替える機能ボタン、テンキー、受け付けた指示を確定するためのエンターキー、画像入力装置３を介して読み取った原稿の画像をシート状の記録媒体に画像形成するための「出力」キー又は「コピー」キー等を備えている。
複合機１の操作に先だって利用者は操作パネル１０を操作して自分の識別データを入力するので、操作パネル１０を介して利用者の識別データを取得できる。また、パソコンＰＣ１、ＰＣ２、ＰＣ３から印刷データと共に設定データ及び利用者の識別データを受信する場合は、パソコンＰＣ１、ＰＣ２、ＰＣ３が本発明に係る取得手段の役割をなす。
【００５９】
画像表示部８には、例えば液晶ディスプレイからなり、複合機１の状態、ジョブ処理の状況、画像入力装置３が読み取った原稿の画像、操作パネル１０の操作内容の確認等、利用者に対して報知すべき情報が表示される。また、画像表示部８には、実行すべきジョブに係る設定を受け付けるための項目のソフトキーが表示される。例えば、後述するタッチパネル８１を介して、所定の項目の選択を利用者から受け付けた場合、画像表示部８には、当該項目に従属する従属項目が更に表示される。更に、該従属項目の何れかの選択を利用者から受け付けた場合、画像表示部８には、当該従属項目に従属する従属項目が更に表示される。なお、以下の記載においては、このような場合に、「従属項目」を「項目」として記載する場合がある。
更に、画像表示部８には、後述するメニュー画面、「提案」ソフトキー、及び「直近１ヵ月」ソフトキーが表示される。
【００６０】
また、画像表示部８はタッチパネル８１（選択受付手段）を備えており、タッチパネル８１は利用者から項目の選択を受け付ける。詳しくは、利用者がタッチパネル８１の所定位置を指先でタッチ操作した場合、この際の圧力の変化を検知し、又は静電気による電気信号を検知して、利用者の指先の接触点の画像表示部８の画面上の座標を検出し、該座標を特定する信号を発生する。従って、タッチパネル８１を介して利用者から指示、及び所定のソフトキーの選択を受け付けることが出来る。
【００６１】
画像処理装置４は、例えば画像入力装置３から入力されるアナログデータを基にデジタル形式の画像データを生成し、又は記憶部９に記憶されている画像データを読み出し、夫々の画像の種類に応じた処理を施した後、出力用画像データを生成する。画像処理装置４によって生成された出力用画像データは、画像出力装置５又は通信装置６に出力される。
【００６２】
図４は本発明の実施の形態１の複合機１の制御部２の要部構成を示す機能ブロック図である。制御部２はＣＰＵ２１、ＲＯＭ２２及びＲＡＭ２３を備えている。
【００６３】
ＲＯＭ２２には各種の制御プログラム、後述するように、項目又は従属項目を被選択回数の多い順に表示するためのプログラム、項目又は従属項目を含むメニュー画面を表示するためのプログラム、後述する判定部２７が判定を行う際に用いる閾値等が予め格納されており、ＲＡＭ２３はデータを一時的に記憶し、記憶順、記憶位置等に関係なく読み出すことが可能である。また、ＲＡＭ２３は、例えば、ＲＯＭ２２から読み出されたプログラム、該プログラムを実行することにより発生する各種データ、外部から受信した各種データを記憶する。
【００６４】
ＣＰＵ２１は、ＲＯＭ２２に予め格納されている制御プログラムをＲＡＭ２３上にロードして実行することによって前述の各種ハードウェアの制御を行い、装置全体を本発明の実施の形態１の複合機１として動作させる。
【００６５】
更に、制御部２は表示制御部２４、選択指示受付部２５、表示指示受付部２６、判定部２７及び付加情報表示部２８を備えている。
【００６６】
表示制御部２４は、記憶部９に記憶されている前記被選択履歴（記憶被選択履歴又は取得被選択履歴）に基づき、項目及び該項目の従属項目の画像表示部８への表示を行う。
詳しくは、表示制御部２４は、全利用者の被選択履歴に基づき、一つの項目又は従属項目を選択して表示し、又は被選択回数の多い順に項目又は従属項目を表示し、又はその時点から所定時間以前（例えば、１ヵ月以前）までの直近期間における前記被選択履歴に基づき、項目又は従属項目を表示し直す。該直近期間に係る期間は利用者によって変更できるように構成されている。
【００６７】
なお、表示制御部２４は、ＲＯＭ２２に格納されているプログラムを用い、項目又は従属項目のソフトキーを含むメニュー画面を形成して画像表示部８に表示する。利用者は、項目又は従属項目のソフトキーに対応する画像表示部８上の画面をダッチ操作することにより、所定の項目を選択する。
【００６８】
選択指示受付部２５は、画像表示部８に表示される「提案」ソフトキーを介して、一つの項目を任意に選択して表示する指示を利用者から受け付ける。すなわち、利用者が「提案」ソフトキーをダッチ操作した場合、タッチパネル８１によって「提案」ソフトキーのダッチ操作が検出され、「提案」ソフトキーの選択を受け付ける。斯かる際、選択指示受付部２５は一つの項目を任意に選択して表示する指示として受け付ける。
【００６９】
表示指示受付部２６は、画像表示部８に表示される「直近１ヵ月」ソフトキーを介して、利用者から既に表示中の項目又は従属項目を表示し直す指示を受け付ける。すなわち、利用者が「直近１ヵ月」ソフトキーをダッチ操作した場合、タッチパネル８１を介して「直近１ヵ月」ソフトキーのダッチ操作が検出され、「直近１ヵ月」ソフトキーの選択を受け付ける。斯かる際、表示指示受付部２６は、前記直近期間においての被選択回数の多い順に、項目又は従属項目を表示し直す指示として受け付ける。本実施の形態においては、前記直近期間が１ヵ月である場合を例として説明するが、前記直近期間を利用者が変更可能に構成しても良い。
【００７０】
判定部２７は、タッチパネル８１が利用者から選択を受け付けた被選択項目又は被選択従属項目（以下、被選択項目とも言う）の被選択回数が所定の閾値以上であるか否かを判定する。すなわち、タッチパネル８１が利用者から「提案」ソフトキー以外のソフトキーの選択を受け付けた場合、判定部２７は、記憶部９に記憶されている被選択履歴（記憶被選択履歴）に基づき、該選択に係る被選択項目の被選択回数と、ＲＯＭ２２に記憶されている閾値とを比較することにより、前記被選択項目の被選択回数が前記閾値以上であるか否かの判定を行う。更に、判定部２７は、必要に応じて、通信装置６を介して取得した取得被選択履歴に基づき、前記被選択項目の被選択回数が前記閾値以上であるか否かの判定を行う。
【００７１】
付加情報表示部２８は、表示制御部２４によって表示された複数の項目又は従属項目のうち、前記直近期間において被選択回数が一番多い項目又は従属項目を表示する。詳しくは、付加情報表示部２８は、前記直近期間の被選択履歴に基づき、前記直近期間において被選択回数が一番多い項目又は従属項目に、その旨を表す所定の図形を付し、最近選択が急増していることを利用者に通知する。なお、前記直近期間において被選択回数が一番多い項目又は従属項目に付されるものは図形に限るものでなく、例えば文字であっても良い。
【００７２】
図５乃至図７は本発明の実施の形態１に係る表示装置、画像形成装置並びに表示システムにおける処理を説明するフローチャートである。説明の便宜上、複合機１は、「特別機能」ソフトキーを有しており、「特別機能」ソフトキーより下位には従属項目として「画像編集」ソフトキーが従属されており、「画像編集」ソフトキーより下位には従属項目として「写真リピート」ソフトキー（最下位）を有するものとし、利用者は「写真リピート」ソフトキーの選択を希望するものとする。
【００７３】
利用者は、複合機１の操作に先だって、操作パネル１０を操作して自分の識別データを入力する。ＣＰＵ２１は操作パネル１０を介して利用者の識別データを取得し、取得した利用者の識別データと、記憶部９に予め記憶されている利用者の識別データとを対照することにより、利用者の認証を行う（ステップＳ１０１）。
【００７４】
次いで、表示制御部２４は、ＲＯＭ２２に記憶されているプログラムを用い基本のメニュー画面を画像表示部８に表示する（ステップＳ１０２）。図８は実施の形態１の基本のメニュー画面の一例を示す例示図である。該基本のメニュー画面には、利用者から設定を受け付けるための項目である、「特別機能」ソフトキー、「両面コピー」ソフトキー、「アウトプット」ソフトキーが表示されている。他に前記基本のメニュー画面には前記「提案」ソフトキーが表示されている。すなわち、各ソフトキーは、項目（又は従属項目）に該当する。
【００７５】
その後、選択指示受付部２５は、タッチパネル８１を介して利用者による前記「提案」ソフトキーの操作を監視することにより、一つの項目を選択して表示する指示を受け付けたか否かを判定する（ステップＳ１０３）。
【００７６】
選択指示受付部２５が一つの項目を選択して表示する選択表示指示を受け付けたと判定した場合（ステップＳ１０３：ＹＥＳ）、表示制御部２４は、前記記憶被選択履歴の全利用者の被選択履歴に基づき、被選択回数の集計（例えば、１年間分）を行い、被選択回数が最も多い項目（ソフトキー）を選択して表示すると共に、該項目の従属項目を被選択回数の多い順に画像表示部８へ表示する（ステップＳ１１３）。
【００７７】
本実施の形態においては、１年間分を対象として前記被選択回数の集計が行われる場合を例として説明したが、これに限るものでなく、利用者によって変更可能に構成されている。被選択回数の集計がどのくらいの期間範囲の被選択履歴に基づいて行われるのかによって、該集計の結果が変化するので、利用者は必要に応じて前記集計に係る期間を変更することが出来る。
【００７８】
図９は実施の形態１において、選択指示受付部２５が一つの項目を選択して表示する指示を受け付けたと判定した場合の表示制御部２４によるメニュー画面の表示の一例を示す例示図である。例えば、前記被選択回数の集計の結果、「特別機能」ソフトキー（項目）の被選択回数が一番多い場合、表示制御部２４によって「特別機能」ソフトキーが選択されて表示されると共に、「特別機能」ソフトキーの従属項目である「画像編集」ソフトキー、「１セット２コピー」ソフトキー、「ステープル」ソフトキー等が、被選択回数の多い順に夫々画像表示部８へ表示されたメニュー画面が表示される。なお、各ソフトキー（従属項目）は、被選択回数の多い順を表す番号と共に表示されている。なお、該メニュー画面には、前記「直近１ヵ月」ソフトキーが表示されている。
【００７９】
次いで、表示指示受付部２６は、表示中の従属項目を表示し直す再表示指示を受け付けたか否かを判定する（ステップＳ１１４）。該判定は、タッチパネル８１を介して利用者による前記「直近１ヵ月」ソフトキーの操作を監視することによって行われる。
【００８０】
利用者が「直近１ヵ月」ソフトキーをダッチ操作した場合、換言すれば、表示指示受付部２６が表示中の従属項目の再表示指示を受け付けたと判定した場合（ステップＳ１１４：ＹＥＳ）、表示制御部２４は、該指示を受け付けた時点から１ヵ月以前までの直近期間における前記被選択履歴に基づいて被選択回数の集計を行い、前記直近期間においての被選択回数の多い順に従属項目を表示し直す（ステップＳ１１５）。例えば、本実施の形態においては、「とじる」ソフトキー、「枠消去」ソフトキー、「画像編集」ソフトキー等（従属項目）を表示し直す。この後、処理はステップＳ１０８に進む。
【００８１】
表示指示受付部２６が表示中の従属項目の再表示指示を受け付けてないと判定した場合（ステップＳ１１４：ＮＯ）、換言すれば、利用者が所定時間「直近１ヵ月」ソフトキーをダッチ操作しなかった場合、処理はステップＳ１０８に進む。
【００８２】
一方、選択指示受付部２５が一つの項目を選択して表示する指示を受け付けていないと判定した場合（ステップＳ１０３：ＮＯ）、ＣＰＵ２１が「提案」ソフトキー以外に項目（ソフトキー）の選択を受け付けたか否かを判定する（ステップＳ１０４）。該判定は、ＣＰＵ２１が、利用者が「提案」ソフトキー以外に、設定を受け付けるための項目である、何れかのソフトキーを操作したかを、タッチパネル８１を介して監視することにより行われる。
【００８３】
ＣＰＵ２１は項目（ソフトキー）の選択を受け付けていないと判定した場合（ステップＳ１０４：ＮＯ）、処理をステップＳ１０３に戻す。
【００８４】
一方、ＣＰＵ２１が項目（ソフトキー）の選択を受け付けたと判定した場合（ステップＳ１０４：ＹＥＳ）、判定部２７は利用者によって選択された被選択項目の被選択回数が閾値以上であるか否かを判定する（ステップＳ１０５）。該判定は、判定部２７が前記記憶被選択履歴の全利用者の被選択履歴に基づき、被選択回数の集計（例えば、１年間分）を行い、該集計の結果と、ＲＯＭ２２に記憶されている閾値とを比較することによって行われる。
【００８５】
判定部２７は前記被選択項目の被選択回数が閾値未満であると判定した場合（ステップＳ１０５：ＮＯ）、前記集計の結果に基づき、前記被選択項目の被選択回数が「ゼロ」であるか否かを判定する（ステップＳ１１６）。判定部２７は、前記被選択項目の被選択回数が「ゼロ」であると判定した場合（ステップＳ１１６：ＹＥＳ）、通信装置６を介して取得され、記憶部９に記憶されている他の複合機（複合機１００、２００）の被選択履歴（取得被選択履歴）を読み出す（ステップＳ１１７）。
【００８６】
判定部２７は読み出された取得被選択履歴に基づき、被選択回数の集計を行い、利用者によって選択された被選択項目の被選択回数が閾値以上であるか否かを判定する（ステップＳ１１８）。
【００８７】
判定部２７が前記被選択項目の被選択回数が閾値以上であると判定した場合（ステップＳ１１８：ＹＥＳ）、処理はＳ１０６に進む。一方、判定部２７は前記被選択項目の被選択回数が閾値未満であると判定した場合（ステップＳ１１８：ＮＯ）、表示制御部２４は、読み出された取得被選択履歴に基づき、被選択回数の集計を行い、前記被選択項目の従属項目を被選択回数の多い順に画像表示部８へ表示する（ステップＳ１１９）。
【００８８】
このように、本発明では、一の複合機１の被選択履歴が他の複合機１００、２００と共有できるように構成されている。従って、複合機１にとっては初めての利用者であっても、他の複合機１００、２００にとっては使い慣れている利用者に対しても適宜対応することができる。すなわち、利用者が同じ機能を有する複数の複合機で操作を行う場合であっても、他の複合機の被選択履歴を参照した上に、対応することが出来る。
【００８９】
また、判定部２７が前記被選択項目の被選択回数が「ゼロ」でないと判定した場合（ステップＳ１１６：ＮＯ）、表示制御部２４は、前記記憶被選択履歴の全利用者の被選択履歴に基づき、被選択回数の集計を行い、前記被選択項目の従属項目を被選択回数の多い順に画像表示部８へ表示する（ステップＳ１１９）（図９参照）。この後、処理はステップＳ１０８に進む。
【００９０】
一方、ステップＳ１０５にて、判定部２７が前記被選択項目の被選択回数が閾値以上であると判定した場合（ステップＳ１０５：ＹＥＳ）、又はステップＳ１１８にて、判定部２７が前記被選択項目の被選択回数が閾値以上であると判定した場合（ステップＳ１１８：ＹＥＳ）、選択指示受付部２５は、タッチパネル８１を介して利用者による前記「提案」ソフトキーの操作を監視することにより、一つの項目を選択して表示する選択表示指示を受け付けたか否かを判定する（ステップＳ１０６）。
【００９１】
選択指示受付部２５が前記選択表示指示を受け付けたと判定した場合（ステップＳ１０６：ＹＥＳ）、処理はステップＳ１１３に進む。以降の処理については、上述した通りであり、詳しい説明を省略する。
【００９２】
一方、選択指示受付部２５が前記選択表示指示を受け付けていないと判定した場合（ステップＳ１０６：ＮＯ）、表示制御部２４は、前記被選択項目の従属項目を通常の方法により画像表示部８に表示する。すなわち、表示制御部２４は、被選択回数の多い順に関わらず、デフォルトとして設定されている順番にて前記従属項目を画像表示部８に表示する（ステップＳ１０７）。
【００９３】
このように、本発明では、前記被選択項目の被選択回数が閾値以上である場合は、被選択項目の従属項目を被選択回数の多い順に表示することなく、通常の方法によって表示する。すなわち、被選択項目の従属項目を被選択回数の多い順に表示するという、いわゆる情報の提供を必要としない、使い慣れている利用者には該情報の提供を行わない。従って、徒に利用者の操作性を悪くすることを未然に防止できる。
【００９４】
また、本発明では、前記被選択項目の被選択回数が閾値以上である場合であっても、利用者によって前記「提案」ソフトキーが操作された場合は、前記被選択項目の従属項目を被選択回数の多い順に表示し、利用者の便宜を図る。
【００９５】
図１０は実施の形態１において、表示制御部２４によって被選択項目の従属項目が通常表示されたメニュー画面の一例を示す例示図である。例えば、利用者によって「特別機能」ソフトキーがタッチ操作された場合、表示制御部２４によって「特別機能」ソフトキーの従属項目がランダムに表示される。この際のメニュー画面には、「特別機能」ソフトキーの従属項目である「画像編集」ソフトキー、「１セット２コピー」ソフトキー、「ステープル」ソフトキー等が、被選択回数の多い順に関わらずランダムに表示されている。
【００９６】
なお、このメニュー画面には、「提案」ソフトキーが表示されている。該「提案」ソフトキーを介して、上述したように、利用者から一つの項目（従属項目）の選択表示指示を受け付ける。すなわち、利用者が「提案」ソフトキーをダッチ操作した場合、選択指示受付部２５は一つの項目（従属項目）の選択表示指示として受け付ける。
【００９７】
次いで、選択指示受付部２５は、タッチパネル８１を介して利用者による前記「提案」ソフトキーの操作を監視することにより、一つの項目（従属項目）の選択表示指示を受け付けたか否かを判定する（ステップＳ１０８）。
【００９８】
選択指示受付部２５が一つの項目（従属項目）の選択表示指示を受け付けたと判定した場合（ステップＳ１０８：ＹＥＳ）、表示制御部２４は、前記記憶被選択履歴又は取得被選択履歴の全利用者の被選択履歴に基づき、被選択回数の集計を行い、被選択回数が最も多い項目（ソフトキー）を選択して表示すると共に、該項目の従属項目を画像表示部８に表示し、各従属項目に対する簡単な説明も表示される（ステップＳ１０９）。
【００９９】
図１１は実施の形態１において、被選択項目の従属項目が通常表示されたメニュー画面から「提案」ソフトキーが操作された場合に表示されるメニュー画面の一例を示す例示図である。例えば、前記被選択回数の集計の結果、「画像編集」ソフトキー（項目）の被選択回数が一番多い場合、表示制御部２４によって「画像編集」ソフトキーが選択されて表示されると共に、「画像編集」ソフトキーの従属項目である「写真リピート」ソフトキー、「拡大連写」ソフトキー、「鏡像」ソフトキー等の最下位の従属項目が表示されたメニュー画面が、画像表示部８へ表示される。なお、該メニュー画面には、被選択回数の多い順に、各ソフトキー（従属項目）に対する簡単な説明が表示されている。
【０１００】
更に、斯かるメニュー画像の簡単な説明には、所定のソフトキーに「↑↑」の図形が付され、最近選択が急増していることを利用者に通知している。すなわち、付加情報表示部２８によって、前記直近期間の被選択履歴に基づき、前記直近期間において被選択回数が一番多いソフトキー（項目又は従属項目）に、「↑↑」の図形が付されている。
【０１０１】
本実施の形態においては、被選択項目の従属項目が通常表示されたメニュー画面から利用者が「提案」ソフトキーをダッチ操作した場合、図１１に例示したようなメニュー画面が表示されるように構成した場合を例として説明したが、これに限るものでない。例えば、図９に例示したように、ステップＳ１１２にて選択指示受付部２５が一つの項目の選択表示指示を受け付けたと判定した場合に表示されるメニュー画面から、所定のソフトキー（例えば、「画像編集」ソフトキー）が選択された場合も、図１１に例示したメニュー画面が表示されるように構成しても良い。
【０１０２】
一方、ステップＳ１０８にて、選択指示受付部２５が一つの項目（従属項目）の選択表示指示を受け付けていないと判定した場合（ステップＳ１０８：ＮＯ）、すなわち、利用者による前記「提案」ソフトキーの操作がなかった場合、ＣＰＵ２１が「提案」ソフトキー以外に項目（従属項目）の選択を受け付けたか否かを判定する（ステップＳ１１２）。該判定は、ＣＰＵ２１が、利用者が「提案」ソフトキー以外に、何れかのソフトキー（従属項目）を操作したかを、タッチパネル８１を介して監視することにより行われる。
【０１０３】
ＣＰＵ２１は項目（従属項目）の選択を受け付けていないと判定した場合（ステップＳ１１２：ＮＯ）、処理をステップＳ１０８に戻す。
【０１０４】
一方、ＣＰＵ２１が項目（従属項目）の選択を受け付けたと判定した場合（ステップＳ１１２：ＹＥＳ）、処理をステップＳ１０５に戻す。
【０１０５】
以降、上述したような処理が繰り返される。すなわち、判定部２７は利用者によって選択された被選択項目（従属項目）の被選択回数が閾値以上であるか否かを判定し（ステップＳ１０５）、判定部２７が前記被選択項目の被選択回数が閾値未満であると判定した場合、表示制御部２４が、前記記憶被選択履歴又は取得被選択履歴に基づき、被選択回数の集計を行い、前記被選択項目（従属項目）の従属項目を被選択回数の多い順に画像表示部８へ表示する。例えば、利用者によって「画像編集」ソフトキーがタッチ操作された場合は、図１１に例示したようなメニュー画面が表示される。以上の処理については既に説明しており、詳しい説明を省略する。
【０１０６】
しかし、ステップＳ１０５にて、判定部２７が前記被選択項目の被選択回数が閾値以上であると判定した場合（ステップＳ１０５：ＹＥＳ）、表示制御部２４は、前記被選択項目の従属項目を通常の方法により画像表示部８に表示する。
【０１０７】
図１２は、図１０に例示したメニュー画面から、利用者が「提案」ソフトキー以外に、何れかのソフトキーを操作した場合に通常表示されたメニュー画面の一例を示す例示図である。例えば、利用者によって「画像編集」ソフトキーがタッチ操作された場合、表示制御部２４によって「画像編集」ソフトキーの従属項目である「写真リピート」ソフトキー、「拡大連写」ソフトキー、「鏡像」ソフトキー等の最下位の従属項目が、被選択回数の多い順に関わらずランダムに表示されている。なお、このメニュー画面には、「提案」ソフトキーが表示されている。該「提案」ソフトキーを介して、上述したように、利用者から一つの項目（従属項目）の選択表示指示を受け付ける。
【０１０８】
一方、ステップＳ１０９にて表示されたメニュー画面（図１１参照）から、利用者が「写真リピート」ソフトキーを操作した場合、ＣＰＵ２１は、該ソフトキー（従属項目）の選択を、タッチパネル８１を介して受け付ける（ステップＳ１１０）。
【０１０９】
次いで、表示制御部２４は選択されたソフトキー（最下位の従属項目）の詳細説明を記憶部９から読み出して画像表示部８に表示する（ステップＳ１１１）。
【０１１０】
図１３は、図１１に例示されたメニュー画面から、利用者が所定のソフトキーを操作した場合に表示される画面の一例を示す例示図である。例えば、利用者によって「写真リピート」ソフトキーがタッチ操作された場合、「写真リピート」ソフトキーの詳細説明が画像表示部８に表示されている。
【０１１１】
以上においては、図１１に例示したメニュー画面から、利用者が所定のソフトキーを操作した場合を例として説明したが、これに限るものでない。例えば、図１２に例示したメニュー画面から、利用者が所定のソフトキーを操作した場合、又は図１２に例示したメニュー画面から、利用者が「提案」ソフトキーを操作した場合も図１３に例示した画面が表示される。
【０１１２】
例えば、表示中の従属項目が最下位の従属項目であるか否かを判定する手段（図示せず）を備え、図１２に例示したメニュー画面が画像表示部８に表示された場合であって、表示中の従属項目が最下位の従属項目であると判定された場合は、図１２に例示したメニュー画面から、利用者が所定のソフトキーを操作したとき、図１３に例示した画面のように、選択されたソフトキーの詳細説明が表示されるように構成される。
【０１１３】
また、図１２に例示したメニュー画面が画像表示部８に表示された場合であって、表示中の従属項目が最下位の従属項目であると判定された場合は、図１２に例示したメニュー画面から、利用者が「提案」ソフトキーを操作したとき、被選択回数が最も多い従属項目（ソフトキー）が選択され、図１３に例示した画面のように、選択されたソフトキーの詳細説明が表示されるように構成される。
【０１１４】
（実施の形態２）
実施の形態２に係る表示システムの複合機１、１００、２００は、実施の形態１に係る表示システムの複合機１、１００、２００と同様の構成を有するが、制御部２の構成及び作用が異なる。
【０１１５】
図１４は本発明の実施の形態２の複合機１の制御部２の要部構成を示す機能ブロック図である。実施の形態２の複合機１の制御部２は実施の形態１の場合と同様に、ＣＰＵ２１、ＲＯＭ２２、ＲＡＭ２３、表示制御部２４、選択指示受付部２５、表示指示受付部２６、判定部２７及び付加情報表示部２８を備えており、更に、期間判定部２９を備えている。
【０１１６】
期間判定部２９は、利用者が項目又は従属項目（ソフトキー）の選択を行った場合、該選択に係る項目又は従属項目が以前に選択されたとき（以下、以前選択時と言う）までの期間が、所定の期間以上であるか否かを判定する。
【０１１７】
詳しくは、項目又は従属項目の選択を受け付けた場合、期間判定部２９は、前記被選択履歴に基づいて、該項目又は従属項目の以前選択時までの期間を算出し、ＲＯＭ２２に予め記憶されている、所定の期間と比較して、前記以前選択時までの期間が所定の期間以上であるか否かを判定する。前記被選択履歴は、各利用者のＩＤ（識別データ）毎に、被選択項目及び日付が関連付けて記憶されているので、計時部（図示せず）の計時結果に基づき、前記以前選択時までの期間を算出することが出来る。
【０１１８】
期間判定部２９によって、前記以前選択時までの期間が所定の期間以上であると判定された場合、表示制御部２４は、前記被選択履歴に基づき、被選択回数の集計を行い、被選択項目の従属項目を被選択回数の多い順に画像表示部８へ表示する。
【０１１９】
従って、過去、当該複合機に使い慣れていたが、長時間使っていなかったことにより、該複合機の操作方法を忘れている利用者に対しても、被選択項目の従属項目を被選択回数の多い順に表示することにより、該利用者の便宜を図る。
【０１２０】
実施の形態１と同様の部分については、同一の符号を付して詳細な説明を省略する。
【０１２１】
（実施の形態３）
図１５は本発明の実施の形態３の複合機１の要部構成を示す機能ブロック図である。実施の形態３の複合機１は、動作を行うためのコンピュータプログラムが、Ｉ／Ｆ６１を介してＣＤ‐ＲＯＭ等の記録媒体で提供することも可能であるように構成されている。さらに、実施の形態３の複合機１は、前記コンピュータプログラムを、図示しない外部装置から通信装置６を介してダウンロードすることも可能であるように構成されている。以下に、その内容を説明する。
【０１２２】
実施の形態２の複合機１は外装（又は内装）の記録媒体読み取り装置（図示せず）を備えており、該記録媒体読み取り装置に、一つの項目を選択して表示する指示を受付させ、一つの項目を選択して表示する指示を受け付けた場合、全利用者に係る被選択履歴に基づき、一つの項目を選択して表示させ、一つの項目を選択して表示する指示を受け付けた場合、被選択回数が最も多い項目と共に、該項目の従属項目を被選択回数の多い順に表示させ、従属項目を表示し直す再表示指示を受付させ、該再表示指示を受け付けた場合、受け付けた時点から所定期間以前までの被選択履歴に基づき、被選択回数の多い順に前記従属項目を表示させ、選択を受け付けた被選択項目の被選択回数が所定の閾値以上であるか否かを判定させ、被選択項目の被選択回数が閾値未満であると判定された場合、被選択履歴に基づき、被選択項目の従属項目を被選択回数の多い順に表示させるプログラム等が記録された可搬型記録媒体Ａを挿入して、例えば、ＣＰＵ２１がＲＯＭ２２にこのプログラムをインストールする。かかるプログラムはＲＡＭ２３にロードして実行される。これにより、実施の形態１の本発明の複合機１として機能する。
【０１２３】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【０１２４】
通信装置６を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０１２５】
実施の形態１と同様の部分については、同一の符号を付して詳細な説明を省略する。
【符号の説明】
【０１２６】
１、１００、２００  複合機
２  制御部
２１  ＣＰＵ
２４  表示制御部
２５  選択指示受付部
２６  表示指示受付部
２７  判定部
２８  付加情報表示部
２９  期間判定部
３  画像入力装置
４  画像処理装置
５  画像出力装置
６  通信装置
８  画像表示部
８１  タッチパネル
９  記憶部
１０  操作パネル
ＰＣ１、ＰＣ２、ＰＣ３  パソコン
Ａ  可搬型記録媒体
【図１】
2011257936.tif 000003
【図２】
2011257936.tif 000004
【図３】
2011257936.tif 000005
【図４】
2011257936.tif 000006
【図５】
2011257936.tif 000007
【図６】
2011257936.tif 000008
【図７】
2011257936.tif 000009
【図８】
2011257936.tif 000010
【図９】
2011257936.tif 000011
【図１０】
2011257936.tif 000012
【図１１】
2011257936.tif 000013
【図１２】
2011257936.tif 000014
【図１３】
2011257936.tif 000015
【図１４】
2011257936.tif 000016
【図１５】
2011257936.tif 000017